(57)【特許請求の範囲】
【請求項１】
界面活性剤、１価アルコール、水、油性溶剤およびピレスロイド系殺虫成分を含有する原液、ならびに液化石油ガスおよびジメチルエーテルからなる群から選ばれる少なくとも一種の噴射剤からなる発泡性エアゾール組成物を、エアゾール容器に充填してなる発泡性ガラス用洗浄剤であり、
前記１価アルコールの含有量が１５〜４０質量％であり、
洗浄後のガラスに、殺虫効果および防虫効果を付与する発泡性ガラス用洗浄剤。
【請求項２】
前記発泡性エアゾール組成物中の、
前記界面活性剤の含有量が０．１〜１０質量％、
前記水の含有量が５０〜７０質量％、
前記油性溶剤の含有量が０．１〜５質量％、
前記ピレスロイド系殺虫成分の含有量が０．０１〜１質量％、
前記噴射剤の含有量が３〜２０質量％である、請求項１記載の発泡性ガラス用洗浄剤。
【請求項３】
前記界面活性剤が、ポリグリセリン脂肪酸エステルである、請求項１または２記載の発泡性ガラス用洗浄剤。
【請求項４】
前記油性溶剤が、炭素数１０〜２０の脂肪酸と炭素数３〜５の１価アルコールとのエステル油である、請求項１〜３のいずれか１項に記載の発泡性ガラス用洗浄剤。
【請求項５】
前記ピレスロイド系殺虫成分が、フェンプロパトリンである、請求項１〜４のいずれか１項に記載の発泡性ガラス用洗浄剤。
【請求項６】
請求項１〜５のいずれか１項に記載の発泡性ガラス用洗浄剤を、ガラスに噴霧処理することにより、ガラス洗浄ならびに殺虫効果および防虫効果の付与を、同時に施すガラス表面の処理方法。
【発明の詳細な説明】
【技術分野】
【０００１】
本発明は、発泡性ガラス用洗浄剤に関する。さらに詳しくは、ガラスの洗浄効果に優れ、さらに洗浄後のガラス面に殺虫効果および防虫効果を長時間付与することができる発泡性ガラス用洗浄剤に関する。また、本発明は、前記発泡性ガラス用洗浄剤により、ガラス洗浄処理ならびに殺虫効果および防虫効果の付与処理を同時に施すガラス表面処理方法に関する。
【背景技術】
【０００２】
特許文献１および２には、窓ガラス等に使用される洗浄剤組成物が開示されている。しかし、これらは窓ガラス等の洗浄剤としての機能のみを有する洗浄剤組成物であり、洗浄後のガラスに殺虫効果および防虫効果を付与することについては考慮されていない。
【０００３】
また、特許文献３には、硬質表面から油性および脂性の汚れを除去し、かつ該表面から昆虫を追い払うのに有効で安定な昆虫忌避剤を有するミクロエマルジョン液体洗浄剤組成物が開示されている。しかし、プラスチックやガラスなどの硬質表面の洗浄に適し、かつ洗浄後の硬質表面に昆虫忌避効果を付与する液体洗剤についての記載はあるが、昆虫忌避剤物質として揮発性の高いジエチルトルアミドを使用しているために、硬質表面における昆虫忌避効果（防虫効果）の持続時間が充分でないという問題がある。特にスプレー状に吐出して広範囲に付与する場合は、跳ね返り等で表面に付着する忌避物質の量が少なくなるため、防虫効果の持続性がさらに悪化しやすくなる。
【０００４】
すなわち、広範囲のガラス表面を処理することができ、ガラス洗浄効果ならびに殺虫効果および防虫効果を高いレベルで両立できるガラス用洗浄剤はこれまでに存在しない。
【先行技術文献】
【特許文献】
【０００５】
【特許文献１】特開平１０−２５４９２号公報
【特許文献２】特開２００３−１７６４９７号公報
【特許文献３】特開平７−２９２３９２号公報
【発明の概要】
【発明が解決しようとする課題】
【０００６】
本発明は上記問題に鑑みてなされたものであり、ガラスの洗浄効果に優れ、かつ洗浄後のガラス面に殺虫効果および防虫効果を長期間付与することのできる（殺虫・防虫残効性が高い）発泡性ガラス用洗浄剤を提供すること、ならびに、該発泡性ガラス用洗浄剤により、ガラス洗浄ならびに殺虫効果および防虫効果の付与処理を同時に施すガラス表面処理方法を提供することを目的とする。
【課題を解決するための手段】
【０００７】
本発明者らは、上記問題を解決するために鋭意研究を重ねた結果、界面活性剤、水、噴射剤を含有し、さらにピレスロイド系殺虫成分を油性溶剤および１価アルコールと共に含有する発泡性エアゾール組成物とすることで、ガラス洗浄効果に優れた発泡性の吐出物をガラス表面に対して広範囲に薄く付着させることができ、さらに洗浄後のガラス面に対してピレスロイド系殺虫成分が溶解した油性溶剤の薄い油膜を形成することで、高い殺虫・防虫残効性を付与することができる発泡性ガラス用洗浄剤が得られることを見出し、本発明を完成するに至った。
【０００８】
すなわち、本発明の発泡性ガラス用洗浄剤は、界面活性剤、１価アルコール、水、油性溶剤およびピレスロイド系殺虫成分を含有する原液、ならびに液化石油ガスおよびジメチルエーテルからなる群から選ばれる少なくとも一種の噴射剤とからなる発泡性エアゾール組成物を、エアゾール容器に充填してなる発泡性ガラス用洗浄剤であり、洗浄後のガラスに、殺虫効果および防虫効果を付与する発泡性ガラス用洗浄剤に関する。
【０００９】
前記発泡性エアゾール組成物中の、前記界面活性剤の含有量が０．１〜１０質量％、前記１価アルコールの含有量が１５〜４０質量％、前記水の含有量が５０〜７０質量％、前記油性溶剤の含有量が０．１〜５質量％、前記ピレスロイド系殺虫成分の含有量が０．０１〜１質量％、前記噴射剤の含有量が３〜２０質量％であることが好ましい。
【００１０】
前記界面活性剤が、ポリグリセリン脂肪酸エステルであることが好ましい。
【００１１】
前記油性溶剤が、炭素数１０〜２０の脂肪酸と炭素数３〜５の１価アルコールとのエステル油であることが好ましい。
【００１２】
前記ピレスロイド系殺虫成分が、フェンプロパトリンであることが好ましい。
【００１３】
また、本発明は、前記の発泡性ガラス用洗浄剤を、ガラスに噴霧処理することにより、ガラス洗浄ならびに殺虫効果および防虫効果の付与を同時に施すガラス表面の処理方法に関する。
【発明の効果】
【００１４】
本発明によれば、所定の発泡性エアゾール組成物に、有効成分として油性溶剤とピレスロイド系殺虫成分とを配合することにより、ガラスの洗浄効果に優れ、かつ洗浄後のガラス表面に殺虫効果および防虫効果を長期間付与することのできる発泡性ガラス用洗浄剤を提供することができる。
【００１５】
また、本発明の発泡性ガラス用洗浄剤を使用することにより、ガラス洗浄処理ならびに殺虫効果および防虫効果の付与処理を同時に施すことできるガラス表面処理方法を提供することができる。
【発明を実施するための形態】
【００１６】
本発明の発泡性ガラス用洗浄剤は、界面活性剤、１価アルコール、水、油性溶剤およびピレスロイド系殺虫成分を含有する原液、ならびに液化石油ガスおよびジメチルエーテルからなる群から選ばれる少なくとも一種の噴射剤とからなる発泡性エアゾール組成物を、エアゾール容器に充填してなる発泡性ガラス用洗浄剤であり、洗浄後のガラスに、殺虫効果および防虫効果を付与する発泡性ガラス用洗浄剤であることを特徴とする。
【００１７】
本発明の発泡性エアゾール組成物は、原液および噴射剤からなる。また、前記原液は界面活性剤、１価アルコール、水、油性溶剤およびピレスロイド系殺虫成分を含有する。
【００１８】
前記界面活性剤は、容器内では、油性溶剤、ピレスロイド系殺虫成分および噴射剤からなる油相を、１価アルコールおよび水からなる水相と、乳化させることで水中油型エマルジョンを形成させる作用、さらに噴射後のガラス面では、噴射物を発泡させ、汚れ成分を洗浄除去する作用を有する。
【００１９】
前記界面活性剤としては、ピレスロイド系殺虫成分に対して安定的に共存し、水中油型エマルジョンを形成するものであれば、特に限定されることなく使用することができる。具体的には、モノラウリン酸ヘキサグリセリル、モノミリスチン酸ヘキサグリセリル、モノラウリン酸ペンタグリセリル、モノミリスチン酸ペンタグリセリル、モノオレイン酸ペンタグリセリル、モノラウリン酸デカグルセリル、モノミリスチン酸デカグリセリル、モノステアリン酸デカグリセリル、モノオレイン酸デカグリセリルなどのポリグリセリン脂肪酸エステル、ＰＯＥ・ＰＯＰセチルエーテルなどのポリオキシエチレンポリオキシプロピレンアルキルエーテル、モノステアリン酸ＰＯＥグリセリルなどのポリオキシエチレングリセリン脂肪酸エステル、ＰＯＥ硬化ヒマシ油などのポリオキシエチレン硬化ヒマシ油、ＰＯＥオレイルエーテルなどのポリオキシエチレンアルキルエーテル、モノステアリン酸ポリエチレングリコールなどのポリエチレングリコール脂肪酸エステル、モノオレイン酸ＰＯＥグリセリルなどのポリオキシエチレングリセリン脂肪酸エステル、モノヤシ油脂肪酸ＰＯＥソルビタンなどのポリオキシエチレンソルビタン脂肪酸エステル、などの非イオン性界面活性剤；脂肪酸石鹸、ポリオキシエチレンアルキルエーテル硫酸塩、ポリオキシエチレンアルキルエーテルリン酸塩などのアニオン性界面活性剤；ラウリルジメチルアミノ酢酸ベタインなどの両性界面活性剤；などがあげられる。なかでも、発泡性を調整しやすいという点から非イオン性界面活性剤であることが好ましく、特に泡の消えやすさ（消泡性）を調整しやすい点からポリグリセリン脂肪酸エステルであることがより好ましい。
【００２０】
前記界面活性剤の発泡性エアゾール組成物中の含有量は０．１〜１０質量％であることが好ましく、０．５〜５質量％であることがより好ましい。界面活性剤の含有量が０．１質量％よりも少ない場合は発泡性および洗浄効果が不充分になる傾向がある。また、１０質量％よりも多い場合はガラス面に界面活性剤が残りやすくなる傾向がある。
【００２１】
前記１価アルコールは発泡性を調整する、噴射範囲を調整する、汚れ成分を除去するなどの作用を有する。
【００２２】
前記１価アルコールとしては、たとえば、エチルアルコール、イソプロピルアルコールなどの炭素数が２〜３個の１価アルコールがあげられる。
【００２３】
前記１価アルコールの発泡性エアゾール組成物中の含有量は１５〜４０質量％であることが好ましく、２５〜３５質量％であることがより好ましい。１価アルコールの含有量が１５質量％よりも少ない場合は洗浄効果が不充分となる傾向、ガラス面で泡が残りやすく拭き取りにくくなる傾向、噴射範囲が狭く噴射物による膜厚が厚くなりやすい傾向がある。また、４０質量％よりも多い場合はガラス面で発泡せずに垂れ落ちやすくなり、洗浄効果が低下する傾向、噴射物が舞い散りやすくガラス表面に付着する量が少なくなりやすい傾向がある。
【００２４】
前記水は水相の主溶剤であり、ガラス面に噴射したときに発泡して液膜を形成する。
【００２５】
前記水の発泡性エアゾール組成物中の含有量は、界面活性剤、１価アルコール、油性溶剤、ピレスロイド系殺虫成分、後述する補助成分および噴射剤の残余となるが、５０〜７０質量％であることが好ましい。水の含有量が５０質量％よりも少ない場合はガラス面で発泡せずに垂れ落ちやすくなり、洗浄効果が低下する傾向がある。また、７０質量％よりも多い場合は洗浄効果が低下する傾向、ガラス面で泡が残りやすく拭き取りにくくなる傾向がある。
【００２６】
前記油性溶剤は、後述するピレスロイド系殺虫成分の溶解剤として含有し、さらにはガラス面の油膜などの油汚れを洗浄しやすくする、洗浄後のガラス表面にピレスロイド系殺虫成分が溶解した油性溶剤の薄い油膜を形成し殺虫・防虫効果を持続させる、起泡や消泡などの発泡性を調整するなどの作用を有する。
【００２７】
前記油性溶剤としては、たとえば、カプリン酸イソプロピル、ミリスチン酸イソプロピル、パルミチン酸イソプロピル、ステアリン酸ブチル、オレイン酸イソプロピル、ミリスチン酸オクチルドデシル、ミリスチン酸ミリスチル、オレイン酸デシル、アジピン酸ジイソプロピル、セバシン酸ジイソプロピル、コハク酸ジエトキシエチルなどのエステル系溶剤；メチルポリシロキサンなどのシリコーンオイル；流動パラフィンなどの炭化水素；などがあげられる。なかでも、殺虫・防虫効果を維持しやすいという点から炭素数１０〜２０個の脂肪酸と炭素数３〜５の１価アルコールとのエステル油を用いることが好ましく、特にミリスチン酸イソプロピルを用いることが好ましい。
【００２８】
前記油性溶剤の発泡性エアゾール組成物中の含有量は０．１〜５質量％であることが好ましく、０．５〜３質量％であることがより好ましい。油性溶剤の含有量が０．１質量％よりも少ない場合は溶解ピレスロイド系殺虫成分の殺虫・防虫効果が長期間持続しなくなる傾向、洗浄効果が不充分となる傾向や泡消えが遅く残りやすくなる傾向がある。また５質量％よりも多い場合は起泡性が悪くなる傾向がある。
【００２９】
前記ピレスロイド系殺虫成分はガラス面に付着して殺虫・防虫効果を発揮することを目的として含有する。
【００３０】
前記ピレスロイド系殺虫成分としては、たとえば、フェンプロパトリン、トラロメトリン、シフェノトリン、シフルトリン、トランスフルスリン、エトフェンプロクス、ペルメトリン、シペルメトリン、プラレトリン、エンペントリン、イミプロスリン、フェンバレレート、メトフルトリン、プロフルトリン、テフルメトリン、メパーフルトリンおよびフェノトリンなどがあげられる。特に殺虫・防虫効果が高く効果が持続しやすいという点から、フェンプロパトリンを用いることが好ましい。
【００３１】
前記ピレスロイド系殺虫成分の発泡性エアゾール組成物中の含有量は０．０１〜１質量％であることが好ましく、０．０５〜０．５質量％であることがより好ましい。ピレスロイド系殺虫成分の含有量が０．０１質量％よりも少ない場合は殺虫・防虫効果が不充分となる傾向がある。また、１質量％よりも多い場合は洗浄効果が低下する傾向がある。
【００３２】
前記原液は、界面活性剤、１価アルコール、水、油性溶剤、ピレスロイド系殺虫成分以外に、必要に応じて補助成分を含有することができる。
【００３３】
前記補助成分としては、本願発明の洗浄効果をさらに高める効果を有する成分や、洗浄や殺虫・防虫以外の効果を付与する成分を含有することができる。洗浄効果をさらに高める効果を有する成分としては、たとえば、リモネン、リナロールなどのテルペン類、プロピレングリコールエチルエーテル、ジエチレングリコールエチルエーテルなどの両媒性溶剤などがあげられる。また、洗浄や殺虫・防虫以外の効果を付与する成分としては、たとえば、グリセリン脂肪酸エステルなどの防曇剤、トリエタノールアミンなどのｐＨ調整剤、パラオキシ安息香酸エステルなどの防腐剤、亜硝酸ナトリウム、クエン酸三ナトリウムなどの防錆剤、香料などがあげられる。
【００３４】
前記補助成分の発泡性エアゾール組成物中の配合量は０．１〜１０質量％であることが好ましく、０．３〜５質量％であることがより好ましい。補助成分の配合量が０．１質量％よりも少ない場合は補助成分の含有による効果が不充分となる傾向がある。また、１０質量％よりも多い場合は泡質が低下したり、拭き取りにくくなり、洗浄効果が低下しやすくなる傾向がある。
【００３５】
前記原液は、界面活性剤、補助成分、１価アルコールを水に添加して水相原液を調製し、ピレスロイド系殺虫成分を油性溶剤に添加して油相原液を調製し、両者を混合することにより調製することができる。なお、界面活性剤や補助成分は、各成分によってその溶解性（脂溶性、水溶性）が異なることから、使用する成分に応じて、適宜、油性溶剤、１価アルコールまたは水に溶解させてから調製に用いることができる。
【００３６】
前記原液の発泡性エアゾール組成物中の含有量は８０〜９７質量％であることが好ましく、８５〜９５質量％であることがより好ましい。原液の含有量が８０質量％よりも少ない場合は飛び散りやすくガラス面に付着する量が少なくなる傾向がある。また、９７質量％よりも多い場合は発泡しにくくなる傾向がある。
【００３７】
前記噴射剤は容器内では蒸気圧を有する液体であり、水相中に分散して水中油型エマルジョンを形成する。噴射剤は大気中に噴射されると気化し、噴射物をスプレー状にしてガラス面に広範囲に付着すると共に、付着面で発泡して汚れ成分を除去しやすくする作用がある。前記噴射剤は、液化石油ガスおよびジメチルエーテルからなる群から選ばれる少なくとも１種の噴射剤である。
【００３８】
前記噴射剤の発泡性エアゾール組成物中の含有量は３〜２０質量％であることが好ましく、５〜１５質量％であることがより好ましい。前記噴射剤の含有量が３質量％よりも少ない場合は広範囲に噴射できなくなる傾向、付着面で発泡しにくくなる傾向がある。また、２０質量％よりも多い場合は飛び散りやすくガラス面に付着する量が少なくなる傾向がある。
【００３９】
本発明の発泡性エアゾール組成物は、耐圧容器に原液を充填してバルブを取り付け、噴射剤をバルブから充填し、原液と噴射剤を混合することにより調製することができる。なお、本発明における発泡性ガラス用洗浄剤とは、前記発泡性エアゾール組成物がエアゾール容器に充填されたものをいう。
【００４０】
本発明の発泡性ガラス用洗浄剤は、内容物を噴射するとスプレー状になってガラス面に広範囲に付着する。付着面では、発泡による物理的な作用および原液による化学的な作用により汚れ成分を除去するため、高い洗浄効果が得られる。さらに、洗浄後はピレスロイド系化合物と油性溶剤による薄膜をガラス表面に形成することにより、残効性に優れた殺虫・防虫効果をガラス表面に付与することができる。
【００４１】
本発明の発泡性ガラス用洗浄剤を用いたガラス表面の処理方法は、前記発泡性ガラス用洗浄剤をガラスに噴霧処理することにより、ガラス洗浄ならびに殺虫効果および防虫効果の付与を同時に施すことができる。
【００４２】
前記噴霧処理としては、ガラス面１平方メートルあたり１０〜５０ｇの前記発泡性ガラス用洗浄剤を噴霧し、そして一般的なガラス洗浄剤を用いたガラス洗浄方法の場合と同様に、ガラス表面をスポンジ等で拭いた後、残った液分を除くこととすることができる。
【００４３】
本発明の発泡性ガラス用洗浄剤を用いた処理により、殺虫または防虫できる害虫として、たとえば、イエバエやショウジョウバエなどのハエ類、ガ、チョウなどの半翅目類、ミツバチやアシナガバチなどのハチ類、アブ類、クサギカメムシなどのカメムシ類、チョウバエ類、ユスリカ類、ノミバエ類等の飛翔昆虫、アリ類、ゴキブリ類などのその他の昆虫があげられる。また、昆虫以外の節足動物、たとえば、クモ類、ヤスデ類、ゲジ、ムカデ類、ダンゴムシ、ワラジムシ等に対しても殺虫または防虫効果を発揮する。
【００４４】
本発明の発泡性ガラス用洗浄剤は、ガラスの洗浄効果に優れ、かつ洗浄後のガラス面に殺虫効果および防虫効果を長期間付与することのできる発泡性ガラス用洗浄剤であることから、窓ガラス、自動車等の各種乗り物のガラスなど、特に害虫が寄りつくガラス用の洗浄剤として使用することが好ましい。
【００４５】
以下、実施例によって本発明をより具体的に説明するが、本発明はこれらに限定されるものではない。
【００４６】
実施例１
フェンプロパトリン０．０９部（質量部、以下同様）をミリスチン酸イソプロピル１．７１部に溶解し、ついでモノラウリン酸デカグリセリル１．３５部、グリセリン脂肪酸エステル１．８部、９５％エチルアルコール２７．０部を加えて溶液とした。これに精製水５８．０５部を加え攪拌し、エマルジョン状の原液２８８ｇ得た。該原液を耐圧容器に充填し、次いで耐圧容器の開口部にバルブを取り付け、バルブから液化石油ガス（＊３）３２ｇを充填し、発泡性ガラス用洗浄剤を調製した。
【００４７】
モノラウリン酸デカグリセリル（＊１）        １．３５
グリセリン脂肪酸エステル（＊２）            １．８
９５％エチルアルコール                    ２７．０
フェンプロパトリン                          ０．０９
ミリスチン酸イソプロピル                    １．７１
水                                        ５８．０５
液化石油ガス（＊３）                      １０．０            
合計                                    １００．０  （質量％）
＊１：サンソフトＭ−１２Ｊ（商品名）、太陽化学株式会社製
＊２：チラバゾールＫＮ−２０（商品名）、太陽化学株式会社製
＊３：プロパン、ノルマルブタン、イソブタンの混合物
【００４８】
実施例２
フェンプロパトリン０．０９部をミリスチン酸イソプロピル１．７１部に溶解し、ついでモノラウリン酸デカグリセリル１．３５部、グリセリン脂肪酸エステル１．８部、９５％エチルアルコール２５．０部を加えて溶液とした。これに精製水５５．０５部を加え攪拌し、エマルジョン状原液２７２ｇを得た。該原液を耐圧容器に充填し、次いで耐圧容器の開口部にバルブを取り付け、バルブから液化石油ガス４８ｇを充填し、発泡性ガラス用洗浄剤を調製した。
【００４９】
モノラウリン酸デカグリセリル（＊１）        １．３５
グリセリン脂肪酸エステル（＊２）            １．８
９５％エチルアルコール                    ２５．０
フェンプロパトリン                          ０．０９
ミリスチン酸イソプロピル                    １．７１
水                                        ５５．０５
液化石油ガス（＊３）                      １５．０            
合計                                    １００．０  （質量％）
【００５０】
比較例１
モノラウリン酸デカグリセリル１．３５部、グリセリン脂肪酸エステル１．８部、９５％エチルアルコール２５．０部を混合し、これに精製水５９．８５部を加え攪拌し、エマルジョン状原液２７２ｇを得た。該原液を耐圧容器に充填し、次いで耐圧容器の開口部にバルブを取り付け、バルブから液化石油ガス４８ｇを充填し、発泡性ガラス用洗浄剤を調製した。
【００５１】
モノラウリン酸デカグリセリル（＊１）        １．３５
グリセリン脂肪酸エステル（＊２）            １．８
９５％エチルアルコール                    ２７．０
水                                        ５９．８５
液化石油ガス（＊３）                      １０．０            
合計                                    １００．０  （質量％）
【００５２】
比較例２
次の処方に従って洗浄剤組成物を調製した。
【００５３】
ジエチルトルアミド                          ２．０
アルキルベンゼンスルホネート                ４．０
ポリオキシアルキレンアルキルエーテル        ２．４
硫酸マグネシウム７水和物                    １．５
ジエチレングリコールモノブチルエーテル      ２．８
水                                        ８７．３            
合計                                    １００．０  （質量％）
【００５４】
下記の評価試験により、得られた発泡性ガラス用洗浄剤についての評価を行った。
【００５５】
＜付着状態と洗浄効果＞
実施例１、２および比較例１の発泡性ガラス用洗浄剤を、垂直に立てたガラス板（３０ｃｍ×３０ｃｍ、厚さ５ｍｍ）に向けて２ｇ噴射し、ガラス表面への噴射物の付着状態と、噴射物をスポンジで拭き取った後のガラス表面の状態を目視にて評価した。なお、ガラス板には油汚れとしてシリコーンオイルをティッシュペーパーにしみ込ませて塗布したものを用いた。試験結果を表１に示す。
【００５６】
【表１】
0005897329.tif 000002
【００５７】
＜殺虫成分の残存率＞
実施例１の発泡性ガラス用洗浄剤を、ガラス板（３０ｃｍ×３０ｃｍ、厚さ５ｍｍ）の片面全面に泡が載るように、２ｇ噴霧し、１分間放置した後、表面の泡をスポンジヘラでかきとった。また、比較例２の洗浄剤組成物を水で５分の１に希釈し、この希釈液２ｇを、平らな場所に静置したガラス板（３０ｃｍ×３０ｃｍ、厚さ５ｍｍ）の片面全面に刷毛で塗布した。そして、噴霧・塗布直後に、噴霧または塗布したガラス表面を均一に脱脂綿で拭きとり、その脱脂綿をアセトンで抽出し、抽出量（殺虫成分量）を測定した。また、同様に噴霧・塗布したガラス板を、雨、日光が直接当たらない屋外の日陰に１０日間静置し、ガラス表面を均一に脱脂綿で拭きとり、その脱脂綿をアセトンで抽出し、抽出量（殺虫成分量）を測定した。そして、測定された殺虫成分量を、噴霧・塗布直後と１０日後とで比較し、殺虫成分の残存率を算出した。試験結果を表２に示す。
【００５８】
【表２】
0005897329.tif 000003
【００５９】
＜殺虫成分の残効性＞
実施例１の発泡性ガラス用洗浄剤を、ガラス板（３０ｃｍ×３０ｃｍ、厚さ５ｍｍ）の片面全面に泡が載るように、２ｇ噴霧し、１分間放置した後、表面の泡をスポンジヘラでかきとった。そして、１時間後に、ガラス板の処理面を上面にして静置し、その上に口径１１ｃｍ、高さ３ｃｍの円筒型のプラスチック製透明カップの開口部を下方にして設置した。該容器の底部（天面）に入れた切り込みから、容器内部に１０頭のクサギカメムシを放ち、経過時間に対するクサギカメムシのノックダウン頭数をカウントし、その結果から容器内部に放ったクサギカメムシ頭数の５０％がノックダウンする時間（ＫＤ５０値）を算出した。６０分観察後、ガラス板上の全てのクサギカメムシを新しい容器に回収し、水および餌を与えた環境下で飼育し、３日後の死虫数を観察した。
【００６０】
クサギカメムシを新しい容器に回収した後、上記の実施例１の発泡性ガラス用洗浄剤で処理したガラス板を雨、日光が直接当たらない屋外の日陰に１０日間静置した後、このガラス板にプラスチック製透明カップを静置しクサギカメムシ１０頭を放ち、同様にノックダウン頭数、３日後の死虫数を観察した。
【００６１】
さらに、クサギカメムシをコナガに替えた以外は、上記と同様に１時間後および１０日後の試験も行った。これらの試験結果を表３に示す。
【００６２】
なお、比較試験として比較例２の洗浄剤組成物を水で５分の１に希釈し、この希釈液２ｇを、平らな場所に静置したガラス板（３０ｃｍ×３０ｃｍ、厚さ５ｍｍ）の片面全面に刷毛で塗布して得られたガラス板を、雨、日光が直接当たらない屋外の日陰に１０日間静置し、クサギカメムシを用いた試験も行った。試験結果を表３に示す。
【００６３】
【表３】
0005897329.tif 000004